(57)【特許請求の範囲】
【請求項１】
基材と、前記基材の意匠面に疑似的なステッチ模様を形成するステッチ部材と、を備えた車両用内装材の製造方法であって、
ミシン目状に配列された複数の貫通孔を有する前記基材を形成する基材形成工程と、
ベース部と、前記ベース部から突出するとともに複数の前記貫通孔にそれぞれ嵌合可能とされた複数の突部とを備えた前記ステッチ部材を、前記基材とは別体的に成形するステッチ部材成形工程と、
前記基材に対して前記ステッチ部材を組み付ける工程であって、複数の前記貫通孔の各々に前記意匠面とは反対側から複数の前記突部をそれぞれ嵌め込み、前記意匠面に複数の前記突部の突出端部を縫目状に露出させるステッチ部材組付工程と、を備え、
前記ステッチ部材成形工程では、
一対の成形型のうち一方の成形型と、少なくとも前記突部を成形するための凹部が形成された他方の成形型との間に、前記ステッチ部材を成形するためのステッチ部材成形空間を画成するとともに、
前記一方の成形型における前記凹部と型開き方向に対向する位置に配され、前記凹部に対して前進後退可能とされる押出しピンであって前記ステッチ部材の型開き方向への移動を規制する形をなす成形型側アンダーカットを有する押出しピンを、前記凹部から後退させた状態にし、
前記ステッチ部材成形空間に溶融樹脂を射出して、前記ステッチ部材における前記突部の反対側にて前記成形型側アンダーカットの形が転写されてなる樹脂側アンダーカット部を形成し、
前記一対の成形型を型開き方向に開き、前記樹脂側アンダーカット部が前記凹部に向かうように前記押出しピンを前進させて前記樹脂側アンダーカット部を前記成形型側アンダーカットから外すことにより前記ステッチ部材を前記成形型から取り出すことを特徴とする車両用内装材の製造方法。
【請求項２】
前記ステッチ部材成形工程では、前記押出しピンを、前記ベース部を成形するためのベース部用凹部から前記突部を成形するための前記凹部に向けて前進させることにより、前記樹脂側アンダーカット部を前記成形型側アンダーカットから外すことを特徴とする請求項１に記載の車両用内装材の製造方法。
【請求項３】
前記基材形成工程では、前記意匠面において前記貫通孔に向かうにつれて裏面側に引き込まれるような凹み形状を形成することを特徴とする請求項１又は請求項２に記載の車両用内装材の製造方法。
【請求項４】
前記ステッチ部材成形工程では、前記突部を前記突出端部が長手状をなすように形成するとともに、前記突出端部にその長手方向と交差する方向に沿って筋状に延びる凹凸形状を形成することを特徴とする請求項１から請求項３のいずれか一項に記載の車両用内装材の製造方法。
【請求項５】
前記ステッチ部材組付工程の後に行われ、前記基材とは別体的に形成された別体基材を前記基材に対して組み付ける工程であって、前記基材との間で前記ステッチ部材の前記ベース部を挟持するようにして、前記別体基材を前記基材の前記意匠面とは反対側から組み付ける別体基材組付工程を更に備えることを特徴とする請求項１から請求項４のいずれか一項に記載の車両用内装材の製造方法。
【発明の詳細な説明】
【技術分野】
【０００１】
本発明は、車両用内装材の製造方法に関する。
【背景技術】
【０００２】
従来、車両用内装材の製造方法として、下記特許文献１に記載のものが知られている。特許文献１の車両用内装材の製造方法では、第１成形型と第２成形型との間に第１のキャビティを画成し、突条部を形成した基材を成形し、基材と第１成形型との間に第２のキャビティを画成して、第２のキャビティに発泡樹脂原料を注入し、第２のキャビティを広げた第３のキャビティを画成することで発泡体を成形する方法が開示されている。また、発泡体を成形する際に、突条部における突出端部側の一部を凹溝部に挿入して該突条部により凹溝部を塞いだ状態を保つようにすることが開示されている。
【０００３】
そして、このような車両用内装材の製造方法によれば、１組の成形型で車両内装部材を効率よく成形し得る、と記載されている。また、第２のキャビティを画成しても凹溝部を突条部で塞いでいるので、凹溝部に発泡樹脂原料が流入することがなく、突条部の先端が発泡体で被覆されるのを防止することができる、と記載されている。
【先行技術文献】
【特許文献】
【０００４】
【特許文献１】特許第５７１４３３３号公報
【発明の概要】
【発明が解決しようとする課題】
【０００５】
しかしながら、特許文献１に開示の車両用内装材の製造方法では、基材（ステッチ部材）と発泡体（基材）とを１組の成形型で成形し得るとしても、コアバック方式で二組の射出装置を備えた二色成形専用の射出成形機等の大がかりの設備が必要とされ、問題がある。さらに、突条部の成形不良等により凹溝部を突条部で塞ぎきれない場合には、第２のキャビティに発泡樹脂原料を注入する際に、発泡樹脂材料が凹溝部内に流入し、基材のみならず車両用内装材全体が不良品となる虞があり、製品の歩留まり低下が懸念される。
【０００６】
また、一般的に行われている、表皮材で被覆された基材に対して縫製によりステッチ模様を形成する車両用内装材の製造方法では、縫製位置のずれや縫製による表皮材のよれ等により車両用内装材が不良品となる虞があり、製品の歩留まり向上が要求されている。
【０００７】
本発明は上記のような事情に基づいて完成されたものであって、疑似的なステッチ模様を呈する車両用内装材を、簡易な工程で製造することができるとともに、製品の歩留まりを向上することが可能な車両用内装材の製造方法を提供することを目的とする。
【課題を解決するための手段】
【０００８】
本発明の車両用内装材の製造方法は、基材と、前記基材の意匠面に疑似的なステッチ模様を形成するステッチ部材と、を備えた車両用内装材の製造方法であって、ミシン目状に配列された複数の貫通孔を有する前記基材を形成する基材形成工程と、ベース部と、前記ベース部から突出するとともに複数の前記貫通孔にそれぞれ嵌合可能とされた複数の突部とを備えた前記ステッチ部材を、前記基材とは別体的に成形するステッチ部材成形工程と、前記基材に対して前記ステッチ部材を組み付ける工程であって、複数の前記貫通孔の各々に前記意匠面とは反対側から複数の前記突部をそれぞれ嵌め込み、前記意匠面に複数の前記突部の突出端部を縫目状に露出させるステッチ部材組付工程と、を備える。
【０００９】
本発明によれば、二色成形による製造方法等のように大がかりな設備を必要としない簡易な工程で、あたかも縫製によりステッチが形成されたような疑似的なステッチ模様を呈する車両用内装材を製造することができる。また、本発明によれば、例えば、二色成形による製造方法のように、基材又はステッチ部材の成形不良が車両用内装材全体の不良となることがなく、また、例えば、表皮材で被覆された基材に対して縫製によりステッチ模様を形成する製造方法のように縫製位置のずれや縫製による表皮材のよれ等が発生することがなく、それら製造方法に比べて車両用内装材の歩留まりを向上することができる。
【００１０】
上記した車両用内装材の製造方法において、前記ステッチ部材成形工程では、一対の成形型のうち一方の成形型と、少なくとも前記突部を成形するための凹部が形成された他方の成形型との間に、前記ステッチ部材を成形するためのステッチ部材成形空間を画成するとともに、前記一方の成形型における前記凹部と対向する位置にアンダーカットのある押出しピンを配し、前記ステッチ部材成形空間に溶融樹脂を射出して、前記ステッチ部材における前記突部の反対側にアンダーカット部を形成するようにしてもよい。このような構成によれば、複数の突部を備えたステッチ部材を他方の成形型から離型し易く、好適にステッチ部材を成形することができる。また、そのようなアンダーカット部を、ステッチ部材組付工程において、突部を貫通孔の位置に合わせるための目安とすることができ、ステッチ部材の組み付け作業性に優れる。
【００１１】
上記した車両用内装材の製造方法において、前記基材形成工程では、前記意匠面において前記貫通孔に向かうにつれて裏面側に引き込まれるような凹み形状を形成するようにしてもよい。このような構成によれば、基材に、例えば表皮材で被覆された基材に対して縫製によりステッチを施したような形状を再現することができ、好適に、疑似的なステッチ模様を呈する車両用内装材を製造することができる。
【００１２】
上記した車両用内装材の製造方法において、前記ステッチ部材成形工程では、前記突部の突出端部が長手状をなすように形成するとともに、前記突出端部にその長手方向と交差する方向に沿って筋状に延びる凹凸形状を形成してもよい。このような構成によれば、ステッチ部材における縫目状に露出する部分を、繊維を撚ってなる糸により形成された縫目のような外観とすることができ、好適に、縫製によりステッチが形成されたような疑似的なステッチ模様を呈する車両用内装材を製造することができる。
【００１３】
上記した車両用内装材の製造方法において、前記ステッチ部材組付工程の後に行われ、前記基材とは別体的に形成された別体基材を前記基材に対して組み付ける工程であって、前記基材との間で前記ステッチ部材の前記ベース部を挟持するようにして、前記別体基材を前記基材の前記意匠面とは反対側から組み付ける別体基材組付工程を更に備えていてもよい。このような構成によれば、ステッチ部材のベース部が基材と別体基材との間で挟持されるから、既存の別体基材によって、ステッチ部材の突部が基材の貫通孔から抜けることを規制することができ、好ましい。
【発明の効果】
【００１４】
本発明によれば、疑似的なステッチ模様を呈する車両用内装材を、簡易な工程で製造することができるとともに、製品の歩留まりを向上することが可能な車両用内装材の製造方法を提供することができる。
【図面の簡単な説明】
【００１５】
【図１】本発明の実施形態１に係るドアトリムを示す正面図
【図２】アッパーボード及びオーナメントの組み付け態様を示す断面図（図１のＩＩ−ＩＩ線で切断した図に対応）
【図３】アッパーボードを裏面側から視た分解斜視図
【図４】複数の貫通孔を示す基材の平面図
【図５】ステッチ部材の平面図
【図６】ステッチ部材の側面図
【図７】基材形成工程を示す説明図
【図８】ステッチ部材成形工程を示す説明図
【図９】ステッチ部材組付工程及び別体基材組付工程を示す説明図
【図１０】本発明の実施形態２に係るドアトリムを示す正面図
【発明を実施するための形態】
【００１６】
＜実施形態１＞
本発明の実施形態１を図１ないし図９によって説明する。図１は、本実施形態の車両用ドアトリム（車両用内装材）１０を示す正面図である。ドアトリム１０は、ドアパネルを構成するドアインナパネル（図示せず）に取り付けられることで車両ドアを構成するものである。
【００１７】
ドアトリム１０は、図１に示すように、トリム本体部１１を備えている。トリム本体部１１は、図１に示すように、アッパーボード１３と、オーナメント（別体基材）１４と、ロアボード１６と、から構成されている。アッパーボード１３の構成については後に説明する。
【００１８】
トリム本体部１１は、例えば、ポリプロピレン等の合成樹脂材料などによって構成された板状の部材とされる。なお、トリム本体部１１を構成する上記各部材は、合成樹脂材料のみからなるものに限定されず、例えば、木質系材料（例えば、ケナフ、ヘンプ、フラックス、サイザルなど）と合成樹脂を混合したものなどを用いてもよい。また、その表面が表皮材で被覆されているものであってもよい。
【００１９】
ロアボード１６は、トリム本体部１１の下部を構成するものとされる。ロアボード１６には、ドアポケットを構成するドアポケット開口部１６Ａやスピーカーグリル１６Ｂなどが設けられている。また、ロアボード１６とオーナメント１４の境界部には、アームレスト１５が設けられている。アームレスト１５は、車両前後方向に延びる長手状をなし、車室内側に膨出する形状をなしている。
【００２０】
オーナメント１４は、図１に示すように、車両前後方向に延びる長手状をなしている。オーナメント１４の車両前端部には、インサイドハンドル（図示せず）を取り付けるためのインサイドハンドル取付部１４Ｂが設けられている。オーナメント１４の上端部は、車両後部において下方に凹む形状をなしている。このオーナメント１４の上端部には、車室外側に１段後退する形で、アッパーボード１３に対して締結される締結部１４Ａが設けられている（図２参照）。
【００２１】
アッパーボード１３は、図１に示すように、車両前後方向に延びる長手状のボード部材とされている。アッパーボード１３の下端部は、オーナメント１４の上端部に沿う形で、車両後部が下方に膨出する形状をなしている。アッパーボード１３は、オーナメント１４の締結部１４Ａに対して、例えば、ビスや熱カシメなどの締結手段によって取り付けられる。
【００２２】
アッパーボード１３は、図２及び図３に示すように、基材２０と、基材２０の意匠面２０Ａに疑似的なステッチ模様を形成するステッチ部材３０と、を備えている。本実施形態では、２本のステッチ部材３０，３０によって疑似的なダブルステッチ模様が形成されたアッパーボード１３について例示する。本願技術において、「ステッチ模様」とは、縫製等によって構成される縫目によって構成される模様を意味し、「疑似的なステッチ模様」とは、そのようなステッチ模様のような外観を呈する模様のことを意味する。
【００２３】
基材２０は、図２及び図３に示すように、ミシン目状に配列された複数の貫通孔２１，２１を有する。本実施形態では、複数の貫通孔２１，２１が基材２０の下端部に沿って２列に配列されて、ダブルステッチ模様に開口するものを例示する。各貫通孔２１は、基材２０の板厚方向に貫通するとともに、その配列方向に沿って延びる長手状の長円形に開口している。貫通孔２１の内周面には、径方向内側に向けて張り出す張出部２２が環状に設けられている。
【００２４】
張出部２２は、図２に示すように、基材２０の裏面２０Ｂ側の面が、意匠面２０Ａ側に向かうにつれて幅狭となるテーパ面２２Ａとされるとともに、基材２０の意匠面２０Ａ側の面が、内周面から立ち上がる立ち上がり面２２Ｂとされている。また、張出部２２の内径は、後述するステッチ部材３０の突部３２の外径より小さく設定されている。このような構成により、後述するステッチ部材３０の突部３２を張出部２２のテーパ面２２Ａに沿って貫通孔２１に挿入し易く、また、挿入された突部３２が張出部２２の立ち上がり面２２Ｂに引っ掛かることにより、貫通孔２１から抜け難い構成が実現されている。
【００２５】
基材２０には、図３に示すように、貫通孔２１の側方に、突部３２の貫通孔２１への嵌め込みをガイドするガイドリブ２４が設けられている。本実施形態では、２列に並ぶ複数の貫通孔２１，２１の並び方向両側に、一対のガイドリブ２４，２４が設けられている。なお、ガイドリブ２４には、その長手方向について間欠的に隙間２４Ａが形成されている。このような構成により、基材２０を後述する固定型４１Ａから抜く際に当該隙間２４Ａにおいて基材２０の裏面２０Ｂを押圧することで、ガイドリブ２４や貫通孔２１を有する基材２０を固定型４１Ａから離型し易くなっている。
【００２６】
また、基材２０には、図４に示すように、意匠面２０Ａにおいて貫通孔２１に向かうにつれて裏面２０Ｂ側に引き込まれるような凹み形状をなす凹み部２６が形成されている。凹み部２６の深さ寸法は、貫通孔２１の長手方向における端部２１Ａにおいて最も大きくされ、例えば、本革表皮材で被覆された基材に対して縫製によりステッチ模様を施した際に、糸の引き込みによって意匠面に形成される凹み形状を再現したような外観を呈している。そして、複数の貫通孔２１に対応して設けられた複数の凹み部２６は、上述の縫製による凹み形状のようにバリエーションがあり、少なくとも２種類以上の互いに相違する形状をなしている。さらに、基材２０には、その意匠面２０Ａにシボ加工等が適宜施されており、凹み部２６の形状とも相まって、あたかも本革表皮材に縫製によりステッチが施されたような外観を呈する。
【００２７】
ステッチ部材３０は、熱可塑性エラストマ等の樹脂製とされ、基材２０より可撓性に優れた部材とされる。ステッチ部材３０は、基材２０とは異なる色味を呈し、アッパーボード１３において目を引くステッチ模様の意匠を実現可能とされる。本実施形態では、２列に並ぶ複数の貫通孔２１，２１のそれぞれの列に対応して、２本のステッチ部材３０，３０が配設されており、各ステッチ部材３０がシングルステッチ（本縫い）模様を形成可能な構成とされている。
【００２８】
ステッチ部材３０は、図５及び図６に示すように、ベース部３１と、ベース部３１から突出するとともに複数の貫通孔２１にそれぞれ嵌合可能とされた複数の突部３２と、を備える。また、ステッチ部材３０には、突部３２の反対側に、断面視Ｚ字状のアンダーカット形状をなすアンダーカット部３５が形成されている（図８参照）。アンダーカット部３５は、ステッチ部材３０の長手方向に沿って分散して配されており、複数の突部３２を有するステッチ部材３０を可動型５１Ｂから離型し易くなっている。
【００２９】
ベース部３１は、図５及び図６に示すように、全体として長尺帯状をなし、複数の貫通孔２１の各々に対応して設けられたブロック状のブロック部３１Ａが、繋ぎ部３１Ｂによって一連に繋げられてなる。ベース部３１は、繋ぎ部３１Ｂの幅寸法及び高さ寸法がブロック部３１Ａの幅寸法及び高さ寸法より小さくされている。言い換えれば、繋ぎ部３１Ｂは、ブロック部３１Ａより撓み易い撓み部とされ、適宜撓み変形して、ステッチ部材３０の姿勢を容易に変更可能とする。このような構成により、ステッチ部材３０は、ベース部３１を予めステッチ模様に合わせた形状に成形せずとも、線状に成形されたベース部３１をステッチ模様の形状に沿って種々の姿勢に変更して配設可能となっている。本実施形態では、線状のステッチ部材３０がアッパーボード１３の下端部に沿って曲線状に曲げられた姿勢とされるものを例示する。
【００３０】
突部３２は、図５及び図６に示すように、ベース部３１（そのブロック部３１Ａ）における幅方向中央部に沿って延びる断面視Ｕ字の突条をなしている。突部３２は、平面視にて、貫通孔２１と同形の長円状とされるとともに、その突出高さが基材２０の板厚よりやや大きい程度とされている。突部３２の突出端部（縫目状に露出する部分）３２Ａは、長手状をなすとともに、長手方向と交差する方向に沿って筋状に延びる凹凸形状をなす筋状部３３が設けられている。筋状部３３は、凸条又は凹溝状をなし、繊維を撚ってなる糸の撚り形状を再現したような外観を呈する。
【００３１】
複数の突部３２の長手寸法には、図５に示すように、上記した縫製による縫目のようにバリエーションがあり、少なくとも２以上の互いに寸法が異なるものが存在している。本実施形態では、例えば、Ｌ１〜Ｌ６までの異なる長さ寸法を有する突部３２の組みが繰り返し並ぶようにして、複数の突部３２が配列されているものを例示する。なお、突部３２の組みに含まれる突部３２の数は適宜設定可能である。
【００３２】
続いて、ドアトリム１０の製造方法について説明する。
ドアトリム１０の製造方法は、基材形成工程と、ステッチ部材３０を基材２０とは別体的に成形するステッチ部材成形工程と、基材２０に対してステッチ部材３０を組み付けるステッチ部材組付工程と、ステッチ部材組付工程の後に行われ、基材２０とは別体的に形成されたオーナメント１４を基材２０に対して組み付ける別体基材組付工程と、を備えている。
【００３３】
基材形成工程では、図７に示すように、一対の基材用成形型４１を用いて基材２０を射出成形する。図７の（ａ）は、本実施形態の基材形成工程に用いられる基材用射出成形装置４０の一部断面図である。基材用射出成形装置４０は、基材２０を成形するための基材用成形型４１と、溶融樹脂４６を射出するための図示しない射出装置とを備えて構成されている。この基材用射出成形装置４０は、一般的によく用いられるシンプルな構成の装置と言える。
【００３４】
基材用成形型４１は、図７（ａ）に示すように、その型面同士が上下に対向するように配置された固定型４１Ａ及び可動型４１Ｂによって構成されている。本実施形態では、固定型４１Ａが基材２０における裏面２０Ｂ側を成形する型面を有し、可動型４１Ｂが意匠面２０Ａ側を成形する型面を有している。固定型４１Ａ及び可動型４１Ｂには、貫通孔２１を形成するための裏面側凸部４２Ａ及び意匠面側凸部４２Ｂが設けられている。裏面側凸部４２Ａ及び意匠面側凸部４２Ｂは、互いの突出端面を合わせた状態で貫通孔２１の内周面に対応する外形をなす。意匠面側凸部４２Ｂは、その側面が可動型４１Ｂの型面から曲面状をなして立ち上がる形とされ、基材２０における凹み部２６を成形可能な構成となっている。
【００３５】
基材形成工程では、まず、図７の（ｂ）に示すように、基材用成形型４１を型閉じし、可動型４１Ｂと固定型４１Ａとの間にキャビティ４４を画成する。続いて、図７の（ｃ）に示すように、基材用成形型４１の内部に形成されたキャビティ４４内に、射出装置から溶融樹脂４６を射出する。そして、キャビティ４４内に射出された溶融樹脂４６は、図７の（ｄ）に示すように、基材用成形型４１の型面によって冷却されて固化することで基材２０に成形される。すると、基材２０において、裏面側凸部４２Ａ及び意匠面側凸部４２Ｂと対応する位置には、貫通孔２１が基材２０と同時に形成される。言い換えれば、本実施形態の基材形成工程は、貫通孔２１を基材２０と同時に形成する貫通孔形成工程を含んでいる。
【００３６】
ステッチ部材成形工程では、図８に示すように、一対のステッチ部材用成形型（一対の成形型の一例）５１を用いてステッチ部材３０を射出成形する。図８の（ａ）は、本実施形態のステッチ部材成形工程に用いられるステッチ部材用射出成形装置５０の一部断面図である。ステッチ部材用射出成形装置５０は、ステッチ部材３０を成形するためのステッチ部材用成形型５１と、溶融樹脂５７を射出するための図示しない射出装置とを備えて構成されている。このステッチ部材用射出成形装置５０も、基材用射出成形装置４０と同様に、一般的によく用いられるシンプルな構成の装置と言える。
【００３７】
ステッチ部材用成形型５１は、図８（ａ）に示すように、その型面同士が上下に対向するように配置された固定型（一方の成形型）５１Ａ及び可動型（他方の成形型）５１Ｂによって構成されている。本実施形態では、固定型５１Ａがその型面に凹設される形でベース部３１を成形するためのベース部用凹部５２Ａを有し、可動型５１Ｂがその型面に凹設される形で突部３２を成形するための突部用凹部（凹部）５２Ｂを有する。可動型５１Ｂにおける突出部用凹部５２Ｂの内面には、筋状部３３を成形するための凹凸（不図示）が設けられている。また、ステッチ部材用成形型５１には、固定型５１Ａにおける突出部用凹部５２Ｂと対向する位置に、アンダーカット５３Ａのある押出しピン５３が配されている。
【００３８】
ステッチ部材成形工程では、まず、図８の（ｂ）に示すように、ステッチ部材用成形型５１を型閉じし、可動型５１Ｂと固定型５１Ａとの間にキャビティ（ステッチ部材成形空間）５５を画成する。続いて、図８の（ｃ）に示すように、ステッチ部材用成形型５１の内部に形成されたキャビティ５５内に、射出装置から溶融樹脂５７を射出する。そして、キャビティ５５内に射出された溶融樹脂５７は、図８の（ｄ）に示すように、ステッチ部材用成形型５１の型面によって冷却されて固化することでステッチ部材３０に成形される。すると、ステッチ部材３０において、突部３２の筋状部３３がステッチ部材３０と同時に形成される。言い換えれば、本実施形態のステッチ部材成形工程は、筋状部３３をステッチ部材３０と同時に形成する筋状部形成工程を含んでいる。ステッチ部材用成形型５１を型開きする際、成形されたステッチ部材３０には、突部３２及び筋状部３３の形状に起因して可動型５１Ｂに追随しようとする力が作用するが、アンダーカット部３５が押出しピン５３に係止され、ステッチ部材３０は固定型５１Ａ側に留まる。そして、図８の（ｅ）に示すように、固定型５１Ａ側に留まったステッチ部材３０を押出しピン５３で押し出して、ステッチ部材３０をステッチ部材用成形型５１から取り外す。
【００３９】
ステッチ部材組付工程では、まず、図９の（ａ）に示すように、基材２０を裏面２０Ｂが上方を向く姿勢で、図示しない作業台等に載置する。そして、図９の（ｂ）に示すように、基材２０における複数の貫通孔２１の各々に意匠面２０Ａとは反対側から複数の突部３２をそれぞれ嵌め込み、意匠面２０Ａに複数の突部３２の突出端部３２Ａを縫目状に露出させる。なお、図９においてはアンダーカット部３５を省いてステッチ部材３０を示すが、突部３２の反対側に位置するアンダーカット部３５を、突部３２を貫通孔２１の位置に合わせるための目安とすることができる。ここで、本願技術で、「複数の突部の突出端部を縫目状に露出させる」とは、各突部の突出端部がステッチ模様における縫目のような外観を呈するように、露出させることを意味している。本実施形態では、露出した各突部の突出端部がダブルステッチにおけるひと針分の糸の形状のような外観を呈する。
【００４０】
詳細には、ステッチ部材組付工程では、ステッチ部材３０の突部３２を貫通孔２１に対して、突部３２の弾性変形を伴って圧入する。そして、突部３２の突出端部が意匠面２０Ａを超える程度まで貫通孔２１に挿入する。アッパーボード１３においては、突部３２が貫通孔２１に所定量挿入されると、ベース部３１が貫通孔２１の孔縁に突き当たり、それ以上の挿入が規制されるように、突部３２及び貫通孔２１の寸法が設定されている。そして、圧入された突部３２は、張出部２２の外形に倣って弾性変形し、張出部２２の立ち上がり面２２Ｂに係止された状態となる。なお、図９においては、この張出部２２の形状を省いて示している。つまり、ステッチ部材組付工程は、突部３２を貫通孔２１に圧入することで、ステッチ部材３０を基材２０に対して仮固定するステッチ部材仮止め工程を含んでいると言える。なお、本実施形態では、ステッチ部材３０の基材２０に対する本固定は、次述する別体基材組付工程で実現されており、その態様は後に説明する。
【００４１】
別体基材組付工程では、基材２０との間でステッチ部材３０のベース部３１を挟持するようにして、オーナメント１４を基材２０の意匠面２０Ａとは反対側から組み付ける。具体的には、図９の（ｂ）に示すように、アッパーボード１３の裏面側からオーナメント１４を近づけて、図９の（ｃ）に示すように、締結部１４Ａを基材２０に対して締結する。すると、ステッチ部材３０は、オーナメント１４によってドアトリム１０の裏面側に抜けることが規制され、基材２０に対して本固定された状態となる。以上の態様により、ドアトリム１０の製造が完了する。
【００４２】
続いて、本実施形態の作用・効果について説明する。
本実施形態のドアトリム１０の製造方法によれば、二色成形による製造方法等のように大がかりな設備を必要としない簡易な工程で、あたかも縫製によりステッチが形成されたような疑似的なステッチ模様を呈するドアトリム１０を製造することができる。また、本実施形態によれば、例えば、二色成形による製造方法のように、基材２０又はステッチ部材３０の成形不良がドアトリム１０全体の不良となることがなく、また、例えば、表皮材で被覆された基材に対して縫製によりステッチ模様を形成する製造方法のように縫製位置のずれや縫製による表皮材のよれ等が発生することがなく、それら製造方法に比べてドアトリム１０の歩留まりを向上することができる。
【００４３】
また、本実施形態において、ステッチ部材成形工程では、ステッチ部材３０における突部３２の反対側にアンダーカット部３５を形成する。このため、複数の突部３２を備えたステッチ部材３０を可動型５１Ｂから離型し易く、好適にステッチ部材３０を成形することができる。また、そのようなアンダーカット部３５を、ステッチ部材組付工程において、突部３２を貫通孔２１の位置に合わせるための目安とすることができ、ステッチ部材３０の組み付け作業性に優れる。
【００４４】
また、本実施形態において、基材形成工程では、意匠面２０Ａにおいて貫通孔２１に向かうにつれて裏面２０Ｂ側に引き込まれるような凹み形状を形成する。このため、基材２０に、例えば表皮材で被覆された基材に対して縫製によりステッチを施したような形状を再現することができ、好適に、疑似的なステッチ模様を呈するドアトリム１０を製造することができる。
【００４５】
また、本実施形態において、ステッチ部材成形工程では、突部３２の突出端部３２Ａにその長手方向と交差する方向に沿って筋状に延びる凹凸形状を形成する。このため、ステッチ部材３０における縫目状に露出する部分を、繊維を撚ってなる糸により形成された縫目のような外観とすることができ、好適に、縫製によりステッチが形成されたような疑似的なステッチ模様を呈するドアトリム１０を製造することができる。
【００４６】
また、本実施形態では、基材２０との間でステッチ部材３０のベース部３１を挟持するようにして、オーナメント１４を基材２０の意匠面２０Ａとは反対側から組み付ける別体基材組付工程を更に備えている。このため、ステッチ部材３０のベース部３１が基材２０とオーナメント１４との間で挟持されるから、既存のオーナメント１４によって、ステッチ部材３０の突部３２が基材２０の貫通孔２１から抜けることを規制することができ、好ましい。
【００４７】
＜実施形態２＞
次に、本発明の実施形態２を図１０によって説明する。本実施形態では、ステッチ部材１３０，１３０によって複雑な図案をなすステッチ模様が形成されたドアトリム１１０について例示する。なお、上記した実施形態と同様の構造、作用及び効果について重複する説明は省略する。
【００４８】
基材１２０は、ミシン目状に配列された複数の貫通孔２１を有する。本実施形態では、複数の貫通孔２１が基材の中央部付近に位置するとともに、ひと筆書き不能な図形（アルファベットのＴ字の部分）や、始点と終点を有しない環状の図形（Ｔ字を囲む円の部分）に配列されたものを例示する。ステッチ部材１３０は、実施形態１と同様の構成とされており、その説明を省略する。なお、本実施形態では、ステッチ部材１３０の本固定は、例えば、ステッチ部材１３０を接着剤により、基材の裏面に固定することにより行われている。
【００４９】
本実施形態のように、複雑な図案をなすステッチ模様を、縫製により形成する製造方法では、縫い始めと縫い終わりにおける糸のほつれ等を防止するための端末処理を基材１２０の中央部において行う必要があり、ステッチ模様の意匠性の低下が懸念されるとともに、ステッチ模様を形成する作業の作業性の悪化が懸念される。一方、本実施形態では、ステッチ部材１３０は、突部３２を貫通孔２１に嵌め込むことで、基材１２０に組み付けられるから、長尺状のステッチ部材１３０の端末において、ステッチ模様の意匠性が損なわれる事態を抑制することができ、また、糸のように煩雑な端末処理が必要とされない。
【００５０】
＜他の実施形態＞
本発明は上記記述及び図面によって説明した実施形態に限定されるものではなく、例えば次のような実施形態も本発明の技術的範囲に含まれる。
【００５１】
（１）上記実施形態１では、疑似的なステッチ模様として、ダブルステッチ模様を例示したが、ステッチ模様はこれに限られない。ステッチ模様としては、パイピングステッチ模様や、フロスステッチ模様等であってもよい。
【００５２】
（２）上記実施形態１では、ダブルステッチ模様を、２本のステッチ部材を用いて形成するものを例示したが、これに限られない。例えば、ステッチ部材におけるベース部に、その幅方向に並んで２条の突部を設け、１本のステッチ部材を用いてダブルステッチ模様を形成してもよい。
【００５３】
（３）上記実施形態では、ステッチ模様を、互いに同じ色味をなす２本のステッチ部材を用いて形成したが、これに限られない。例えば、異なる色味をなす複数のステッチ部材を用いて、ステッチ模様を形成してもよい。このような、複数の色で構成されたステッチ模様を多色成形によって成形する場合には、複数の射出装置が必要とされ、より一層大がかりな設備が必要とされることが懸念される。一方、本願発明によれば、例えば、同じ成形装置を用いて、異なる材料からなるステッチ部材を個別に成形することができ、多色成形による製造方法のように大がかりな設備が必要とされない。
【００５４】
（４）上記実施形態以外にも、ステッチ部材の構成は適宜変更可能である。例えば、ステッチ部材にアンダーカット部又は／及び筋状部を形成しないものであっても、本願発明に含まれる。
【００５５】
（５）上記実施形態では、貫通孔及び突部が長円状とされるものを例示したが、貫通孔及び突部の形状は、ステッチ模様に合わせて適宜変更可能である。また、上記実施形態では、突部がひと針分の糸の形状のような外観を呈しているものを例示したが、クロスステッチ等の場合には、クロスしたふた針分の糸の形状のような外観を呈していてもよい。
【００５６】
（６）上記実施形態では、貫通孔に張出部が設けられたものを例示したが、貫通孔には張出部が設けられていなくてもよい。また、そのような場合において、ステッチ部材を基材に組み付ける際に、突部を基材の意匠面側における貫通孔の孔縁に係止させて仮固定してもよい。
【００５７】
（７）上記実施形態以外にも、基材の構成は適宜変更可能である。例えば、基材に凹み形状を形成しないものであっても、本願発明に含まれる。
【００５８】
（８）上記実施形態では、基材を成形する際に、複数の貫通孔を同時に形成するものを例示したが、これに限られない。例えば、成形した基材に、切削加工等により複数の貫通孔を形成してもよい。
【００５９】
（９）上記実施形態では、基材とステッチ部材とを組み付けてアッパーボードを構成するものを例示したが、これに限られない。例えば、アッパーボード以外のボード部材を構成するものであってもよい。また、車両用内装材として、ドアトリムを例示したが、これに限られず、インストルメントパネルやピラーガーニッシュ等であってもよい。
【００６０】
（１０）上記実施形態では、基材とは別体的に形成された別体基材としてオーナメントを例示したが、別体基材はオーナメント以外の部材であってもよく、また、そのような部材を備えなくてもよい。
【符号の説明】
【００６１】
１０…ドアトリム（車両用内装材）、１４…オーナメント（別体基材）、２０…基材、２０Ａ…意匠面、２０Ｂ…裏面、２１…貫通孔、３０…ステッチ部材、３１…ベース部、３２…突部、３２Ａ…突出端部、３５…アンダーカット部、５１…ステッチ部材用成形型（一対の成形型）、５１Ａ…固定型（一方の成形型）、５１Ｂ…可動型（他方の成形型）、５２Ｂ…突部用凹部（凹部）、５３…押出しピン、５３Ａ…アンダーカット、５５…キャビティ（ステッチ部材成形空間）、５７…溶融樹脂
【図１】
0006733320.tif 000002
【図２】
0006733320.tif 000003
【図３】
0006733320.tif 000004
【図４】
0006733320.tif 000005
【図５】
0006733320.tif 000006
【図６】
0006733320.tif 000007
【図７】
0006733320.tif 000008
【図８】
0006733320.tif 000009
【図９】
0006733320.tif 000010
【図１０】
0006733320.tif 000011